(57)【要約】【課題】ユーザの映像視聴態様に応じて、これに適した画質で映像を出力する電子機器、映像出力システム、および映像出力方法を提供することを課題とする。【解決手段】シャッタメガネ２からのユーザのシャッタメガネ２の装着状態の情報を示す装着状態信号を通信部１６２によって受信し、これと２Ｄ／立体視映像検出部３１１によって検出される表示を行う映像の種類の情報に基づいて画質調整部３０９は表示する映像の画質の調整量を制御する。上述の情報および画質設定テーブル３１０に記された情報に基づいて、表示制御部１５５中の各画質の調整処理を行うＷＢ制御部３０１乃至彩度制御部３０８に画質の調整量の指示を行う。映像出力システム３はユーザの視聴態様に適した画質の映像の出力を行うことができる。【選択図】図３
2011199682.tif 000002
【特許請求の範囲】
【請求項１】
２次元映像と立体視映像とを選択的に出力する映像出力手段と、
シャッタメガネより送信される、前記シャッタメガネをユーザが装着しているか否かを示す装着状態信号を受信する受信手段と、
前記装着状態信号が、ユーザが前記シャッタメガネを装着していると示すときと、前記ユーザが前記シャッタメガネを装着していないと示すときとで、出力する前記２次元映像に対しての画質の調整量を異ならせる画質調整手段と、
を具備することを特徴とする電子機器。
【請求項２】
前記画質調整手段は、
前記映像出力手段が前記２次元映像を出力し、ユーザが前記シャッタメガネを装着していると前記装着状態信号が示すときと、
前記映像出力手段が前記２次元映像を出力し、ユーザが前記シャッタメガネを装着していないと前記装着状態信号が示すときと、
前記映像出力手段が前記立体視映像を出力するときとで、出力する映像に対しての画質の調整量を異ならせること
を特徴とする請求項１記載の電子機器。
【請求項３】
前記シャッタメガネに対して前記装着状態信号を送信するように要求する信号である装着状態信号送信要求を送信する送信部を
更に具備することを特徴とする請求項１記載の電子機器。
【請求項４】
前記２次元映像の表示中に、前記受信手段が前記装着状態信号を受信するとき、
前記画質調整手段はこの装着状態信号に基づいて、出力する前記２次元映像の画質の調整量を定めること
を特徴とする請求項１記載の電子機器。
【請求項５】
前記画質の調整量を定めるための値が格納された前記画質設定テーブルを記憶する記憶手段を更に具備し、
前記画質調整手段は前記画質設定テーブルに格納された前記値に基づいて出力する前記２次元映像の画質の調整量を定めること
を特徴とする請求項１記載の電子機器。
【請求項６】
前記画質設定テーブルの前記値を変更する変更手段を
更に具備することを特徴とする請求項５記載の電子機器。
【請求項７】
前記画質調整手段は、ユーザが前記シャッタメガネを装着していると前記装着状態信号が示すときと、ユーザが前記シャッタメガネを装着していないと前記装着状態信号示すときとで、出力する前記２次元映像のホワイトバランスの調整量を異ならせること
を特徴とする請求項１記載の電子機器。
【請求項８】
前記画質調整手段は、前記立体視映像を出力するときのシャープネス調整量と、前記２次元映像を出力するときのシャープネス制御量とを異ならせること
を特徴とする請求項１記載の電子機器。
【請求項９】
前記映像出力手段によって出力された映像を表示する表示手段と、
前記シャッタメガネに対して、前記シャッタの開閉信号を送信する開閉信号送信手段と、
を更に具備することを特徴とする請求項１記載の電子機器。
【請求項１０】
シャッタの開閉信号を受信する開閉信号受信手段と、
受信する開閉信号に基づいて前記シャッタを駆動させる駆動手段と、
自身がユーザに装着されているか否かを検知する検知手段と、
前記検知結果に基づいて、自身がユーザに装着されているか否を示す装着状態信号を送信する送信手段と、を具備するシャッタメガネと、
２次元映像と立体視映像とを選択的に出力する映像出力手段と、
前記立体視映像を出力するとき、この出力する立体視映像のフレーム更新間隔と同期させて前記開閉信号を送信する送信手段と、
前記シャッタメガネより送信される、前記装着状態信号を受信する受信手段と、
前記装着状態信号が、ユーザが前記シャッタメガネを装着していると示すときと、前記ユーザが前記シャッタメガネを装着していないと示すときとで、出力する前記２次元映像に対しての画質の調整量を異ならせる画質調整手段と、
を具備することを特徴とする映像出力システム。
【請求項１１】
２次元映像と立体視映像とを選択的に出力し、
シャッタメガネより送信される、前記シャッタメガネをユーザが装着しているか否かを示す装着状態信号を受信し、
前記装着状態信号が、ユーザが前記シャッタメガネを装着していると示すときと、前記ユーザが前記シャッタメガネを装着していないと示すときとで、出力する前記２次元映像に対しての画質の調整量を異ならせる
ことを特徴とする映像出力方法。
【発明の詳細な説明】
【技術分野】
【０００１】
本発明は電子機器、映像出力システム、および映像出力方法に関するものであって、特にシャッタメガネの装着状態に応じて表示画質を調整する電子機器、映像出力システム、および映像出力方法に関する。
【背景技術】
【０００２】
近年の技術発達により、フレームシーケンシャル方式で動画を表示し、シャッタメガネを装着したユーザに対して立体視映像を提供可能な電子機器が提案されている。
【０００３】
フレームシーケンシャル方式における立体視映像提供方法では、シャッタメガネは左右それぞれのレンズが光の透過と遮光とを繰り返す。これにより、ユーザは電子機器が表示する画質の映像をそのまま見ることができず、例えばシャッタメガネのレンズの遮光によって表示画像と比較して輝度が半分程度となってしまう等のように、ユーザの視聴する映像の画質は電子機器が表示する映像の画質とは異なってしまう場合がある。
【０００４】
そこで、２次元映像の表示時と３次元映像の表示時とで異なる画質で表示を行う立体映像表示装置が提案されている（特許文献１を参照）。
【先行技術文献】
【特許文献】
【０００５】
【特許文献１】特開平１０−２７６４５６号公報
【発明の概要】
【発明が解決しようとする課題】
【０００６】
電子機器が２次元映像を出力している場合であっても、シャッタメガネの左右のレンズを透過状態としておけば、ユーザは遮光によるちらつきを感じることなく２次元映像を視聴することが可能である。しかし、左右のレンズを透過状態としているときであっても、例えばレンズが液晶シャッタによって駆動するように構成されている等の場合には、この液晶の存在の影響を受け、ユーザに提供される映像の画質は電子機器が出力する映像の画質とは異なってしまう場合がある。
【０００７】
上記提案においてはこの点に関して考慮、言及されておらず、ユーザがシャッタメガネを装着したまま２次元映像を表示する場合には、ユーザには表示された映像とは異なった画質の映像が提供されていた。
【０００８】
本発明は上記問題に鑑みてなされたものであって、ユーザの映像視聴態様に応じて、これに適した画質で映像を出力する電子機器、映像出力システム、および映像出力方法を提供することを目的とする。
【課題を解決するための手段】
【０００９】
本発明にかかる電子機器は、２次元映像と立体視映像とを選択的に出力する映像出力手段と、シャッタメガネより送信される、前記シャッタメガネをユーザが装着しているか否かを示す装着状態信号を受信する受信手段と、前記装着状態信号が、ユーザが前記シャッタメガネを装着していると示すときと、前記ユーザが前記シャッタメガネを装着していないと示すときとで、出力する前記２次元映像に対しての画質の調整量を異ならせる画質調整手段と、を具備することを特徴としている。
【発明の効果】
【００１０】
本発明によれば、ユーザの映像視聴態様に応じて、これに適した画質で映像を出力する電子機器、映像出力システム、および映像出力方法を実現することができる。
【図面の簡単な説明】
【００１１】
【図１】本発明の一実施形態における映像出力システムの一例を示す概念図。
【図２】本発明の一実施形態におけるＤＴＶおよびシャッタメガネの内部構造の一例を示すブロック図。
【図３】本発明の一実施形態におけるＤＴＶの画質調整に関する構成の一部の一例を示すブロック図。
【図４】本発明の一実施形態における画質設定テーブルの一例を示す概念図。
【図５】本発明の一実施形態におけるＤＴＶの映像表示のための処理の一例を示すフロー図。
【発明を実施するための形態】
【００１２】
本発明に関する実施の形態の一例を、以下で図面を参照しながら説明する。
【００１３】
図１は本実施形態における映像出力システム３の一例を示す概念図である。図１にはＤＴＶ１、シャッタメガネ２、および映像出力システム３が示されている。
【００１４】
ＤＴＶ１は例えばデジタルテレビ（Digital Television）であって本実施形態における電子機器の一例である。ＤＴＶ１は互いに視差を有する左眼用画像と右眼用画像を交互に表示することによって、シャッタメガネ２を装着したユーザに立体映像を提供することが可能である（フレームシーケンシャル方式）。本実施形態では電子機器の一例としてＤＴＶ１を示すが、これに限定されるものではなく、例えばＤＶＤ（Digital Versatile Disc）プレーヤ、ＨＤＤ（Hard Disk Drive）プレーヤ、ＳＴＢ（Set Top Box）、又はＰＣ（Personal Computer）等の様々なものが電子機器の例として考えられる。
【００１５】
シャッタメガネ２は左眼用レンズ及び右眼用レンズにそれぞれ遮光可能な液晶シャッタが設けられており、これらのレンズとシャッタとを合わせてレンズユニットと呼ぶこととする。シャッタメガネ２はＤＴＶ１から受信するシャッタの開閉信号に基づいて左右のレンズユニットのそれぞれのシャッタを異なるタイミングで開閉することで、ユーザに立体視映像を提供する。例えば、ＤＴＶ１に左眼用画像が表示されているときには、シャッタメガネ２はＤＴＶ１からの開閉信号に基づいて右眼用レンズユニットのシャッタを閉状態（遮光状態）、左眼用レンズユニットのシャッタを開状態（透過状態）として、ユーザの左眼のみに左眼用画像を見せる。また右眼用画像が表示されているときには左眼用レンズユニットのシャッタを閉状態、右眼用レンズユニットのシャッタを開状態として、ユーザの右眼のみに右眼用画像を見せる。この動作によってユーザは見ている映像を立体として捉えることができる。また、シャッタメガネ２は、ユーザのシャッタメガネ２の装着状態を検知することができ、この装着状態情報が示される装着状態信号をＤＴＶ１からの要求に応じて、ＤＴＶ１に送信することが可能である。
【００１６】
上記の立体視の原理を詳細に説明すると、人間は通常、物体を位置の異なる左眼と右眼とのそれぞれで見ており、この左眼と右眼とで見る像にはそれぞれ視差が存在する。この視差の存在する左眼で見る像と右眼で見る像とを脳内で合成することによって人間は見ている物体を立体として認識することができる。よって、視差を有する左眼用の画像と右眼用の画像とをそれぞれの眼で見せることによって、ユーザに映像を立体として捉えさせることが可能となる。この原理を用いて上述のようにシャッタメガネ２はＤＴＶ１の映像をユーザに立体映像として提供している。
【００１７】
映像出力システム３はＤＴＶ１及びシャッタメガネ２によって構成される。ユーザはシャッタメガネ２を装着して、ＤＴＶ１に表示されている映像を見ることで、この映像を立体映像として認識することができる。
【００１８】
シャッタメガネ２のレンズユニットには、上述のように液晶シャッタが設けられており、
これによってレンズユニットのシャッタを透過状態としたときであっても、光は全て透過されるわけではなく、所定の周波数の光はレンズユニットによって反射または吸収される。この影響によって例えばシャッタが透過状態であるときであっても、シャッタメガネ２を装着したユーザには、レンズユニットを通して物を見ると、少し黄色がかっている等のように色味がかかって見える場合や、少し暗く見えてしまう場合がある。このため、ＤＴＶ１が２次元映像を表示するときに、両眼の液晶シャッタを透過状態としてユーザが視聴を行ったとしても、ＤＴＶ１が表示する映像の画質とシャッタメガネ２を介してユーザに提供される映像の画質とは異なったものとなってしまう。
【００１９】
本実施形態におけるＤＴＶ１では、シャッタメガネ２の液晶シャッタを両眼とも透過状態としてユーザがＤＴＶ１を視聴する場合でも、ユーザに提供される映像の画質を改善することができる。
【００２０】
次にＤＴＶ１およびシャッタメガネ２の内部構造に関して詳細に説明を行う。
【００２１】
図２は本実施形態におけるＤＴＶ１およびシャッタメガネ２の内部構造の一例を示すブロック図である。
【００２２】
まず、ＤＴＶ１の内部構造に関して説明を行う。
【００２３】
ＤＴＶ１は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ１１７から送信され受信部１１８を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。
【００２４】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。PSK復調器１４６は、ＴＳ（Transport Stream）の復調を行い、復調したＴＳをＴＳ復号器１４７ａに供給し、ＴＳ復号器１４７ａは、TSをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が電子番組表であるＥＰＧ（Electronic Program Guide）を生成するときに使用する情報である番組関連情報等を含む、放送波の放送番組に関する情報に関するデジタル信号である。この番組関連情報には、放送番組のタイトル、この番組の詳細情報、番組開始時刻、番組終了時刻等の情報が含まれている。
【００２５】
入力端子１４９は、地上波デジタル放送受信用のアンテナ１４８が受信した地上波デジタルテレビジョン放送信号を地上波デジタル放送用のチューナ１５０に供給する。チューナ１５０は、受信したデジタル放送信号のチューニングを行い、チューニングしたデジタル放送信号をそれぞれのＯＦＤＭ（Orthogonal Frequency Division Multiplexing）復調器１５１に送信する。ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号及び音声信号等に復号した後、信号処理部１００にこれを出力する。
【００２６】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００２７】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００２８】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２９】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００３０】
映像処理部１５５は、グラフィック処理部１５２から出力された信号に対して画質の補正を行った上で、表示部処理部１５５で表示可能なフォーマットのアナログ映像信号に変換する。映像処理部１５５でアナログに変換された映像信号は、表示部１２０に表示される。
【００３１】
表示部１２０はＬＣＤ（Liquid Crystal Display）によって構成されており、液晶によって画像を表示する。バックライト１２１は表示部１２０を後方より照射する。また、バックライト１２１は照射する光の強さまたは照射時間によって、表示する映像の輝度を調整することが可能である。
【００３２】
音声処理部１５３は、入力された音声信号を、スピーカ１１０で再生可能なフォーマットのアナログ音声信号に変換する。アナログに変換された音声信号は、スピーカ１１０に出力されて再生される。
【００３３】
カードホルダ１６１は、カードＩ／Ｆ（Interface）１６０を介して制御部１５６に接続されている。メモリカード１１９は、このカードＩ／Ｆ１６０に装着可能である。メモリカード１１９は、例えばＳＤ（Secure Digital）メモリカード、ＭＭＣ（Multimedia Card）及びＣＦ（Compact Flash）カード等の記憶媒体である。カードホルダ１６１に装着されたメモリカード１１９、及び制御部１５６は、カードＩ／Ｆ１６０を介して情報の書込み／読み出しを行うことができる。
【００３４】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００３５】
ＨＤＤ１７０はＤＴＶ１に内蔵される磁気記憶媒体であってＤＴＶ１が有する各種情報を記憶する機能を有している。
【００３６】
通信部１６２は、例えば赤外線通信モジュールであり赤外線によってシャッタメガネ２との無線通信を行うことができる。制御部１５６は立体視映像の右眼用の画像と左眼用の画像の表示の状態を検知し、この立体視映像の表示状態に基づいて、通信部１６２によってシャッタメガネ２にシャッタの開閉信号を送信する機能を有している。制御部１５６は表示部１２０が右眼用の画像を表示しているときは、シャッタメガネ２の右眼用シャッタが開（透過状態）、左眼用シャッタ（遮光状態）が閉とし、左眼用の画像を表示しているときは、右眼用シャッタが閉（遮光状態）、左眼用シャッタが開（透過状態）となるように通信部１６２によって開閉信号を送信する。また、通信部１６２はシャッタメガネ２の通信部２２から送信されるユーザのシャッタメガネ２の装着状態の情報を示す装着状態信号を受信することができる。この装着状態信号に関しては後述にて説明を行う。
【００３７】
次に、シャッタメガネ２の内部構造に関する説明を行う。
【００３８】
制御部２１はシャッタメガネ２の全体の制御を行い、ＭＰＵ（Micro Processing Unit）を内蔵する。制御部２１は接続される各モジュールと信号の送受信を行うことが可能である。
【００３９】
通信部２２は、例えば赤外線通信モジュールであり赤外線によってＤＴＶ１との無線通信を行うことができる。本実施形態では通信部１６２および通信部２２は赤外線通信モジュールであり、ＤＴＶ１とシャッタメガネ２とは赤外線によって通信を行うものとして例示しているが、これに限定されない。例えばＢｌｏｕｔｏｏｔｈ（登録商標）等の無線規格をはじめ、有線、無線に関わらず様々な通信規格に準拠した通信モジュールによって通信部１６２および通信部２２は構成され得る。通信部２２はＤＴＶ１の通信部１６２より送信されるシャッタメガネ２への開閉信号を受信する機能、及びシャッタメガネ２のユーザ装着状態を示す装着状態信号を送信する機能を有している。
【００４０】
装着検知部２３は、装着検知手段としてユーザのシャッタメガネ２の装着を検知する機能を有するスイッチである。例えば、本実施形態においてこの装着検知部２３はシャッタメガネ２の鼻パッド（にあたる位置）に設けられる押圧スイッチであるとする。装着検知部２３は、ユーザがシャッタメガネ２を装着するとき、ユーザの鼻と接触し、この接触による押圧を検知する。本実施形態において、装着検知部２３は鼻パッド（にあたる位置）に設けられる押圧スイッチとして例示しているがこれに限定されるものでなく、他にも様々な構成態様によって実現されることが可能である。装着検知部２３は例えば静電式のタッチセンサ等のセンサによって構成されているとしてもよいし、これの設けられる箇所もユーザの鼻と接触する箇所ではなく、耳と接触する箇所であるように構成されていてもよい。更に装着検知部２３はユーザの顔の一部との接触を検知するように構成されているとも限定されず、例えば装着／非装着の状態をユーザがＤＴＶ１に報知するために押圧を行うスイッチであるとしてもよい。このとき、押圧検知部２３はシャッタメガネ２のフレームの一部に押圧を検知するスイッチとして設けられ、ユーザがこのスイッチを押圧することによって装着／非装着の情報をトグルで切り換えて出力する（例えばシャッタメガネ２の電源のＯＮ／ＯＦＦを切り替える電源スイッチ等であってもよい）。装着検知部２３は制御部２１からの装着状態情報の送信要求に基づいて装着状態情報を制御部２１に送信する。
【００４１】
シャッタ駆動部２４は、液晶によって構成されたシャッタ部２５を駆動させる液晶駆動装置である。シャッタ駆動部２４は通信部２２が受信する、ＤＴＶ１からの開閉信号に基づいて、シャッタ部２５の左右それぞれの液晶シャッタを駆動させる機能を有している。
【００４２】
シャッタ部２５は、シャッタメガネ２のレンズユニットに設けられており、シャッタ駆動部２４によって駆動され、右眼用、左眼用それぞれのレンズユニットで遮光、透過を切り替える。また、シャッタメガネ２のシャッタ部２５は開閉信号を受信していないときには透過状態となっている。
【００４３】
シャッタメガネ２は通信部２２によってＤＴＶ１の通信部１６２から送信された信号を受信し、この信号に基づいた所定の動作を行う。本実施形態に於いてＤＴＶ１が送信する信号は２種類存在し、この２種類の信号はシャッタメガネ２の遮光、透過状態を制御するための信号である開閉信号と、シャッタメガネ２のユーザの装着状態の情報の信号である装着状態信号を送信するための要求信号である装着状態信号要求である。
【００４４】
シャッタメガネ２の通信部２２が開閉信号を受信すると、制御部２１はこの信号に基づいてシャッタ駆動部２４にシャッタ部２５を駆動させるように指示を行う。シャッタ駆動部２４はこの指示に基づいてシャッタ部２５の遮光と透過とを切り替える。また、シャッタメガネ２の通信部２２が装着状態信号要求を受信すると、制御部２１は装着検知部２３より装着状態情報を取得し、これを装着情報信号として通信部２２によって送信する。本実施形態に於いては装着情報信号要求を受信したときに、制御部２１が装着状態情報を装着検知部２３より取得するものとして説明するが、これに限定されるものではない。例えば、装着状態検知部２３はユーザがシャッタメガネ２を装着／取り外ししたときに、この装着／取り外しを検知し、この装着状態情報を制御部２１に送信してもよい。このときには、制御部２１は自身の内蔵するキャッシュに装着状態情報を保持しておき、ＤＴＶ１からの装着状態信号送信要求に基づいてこの情報を装着状態信号として送信するとすればよい。
【００４５】
本実施形態において、ＤＴＶ１は自身の表示する映像の種類及びシャッタメガネ２のユーザ装着状態信号に応じて表示映像の画質を切り替える。この動作に主に関連するＤＴＶ１内の構成の一部について以下にて説明を行う。
【００４６】
図３は本実施形態におけるＤＴＶ１の画質調整に関する構成の一部の一例を示すブロック図である。図３には、表示部１２０、映像処理部１５５、制御部１５６、ＲＯＭ１５７、通信部１６２、ＷＢ制御部３０１、ガンマ補正制御部３０２、シャープネス制御部３０３、高解像度化制御部３０４、輝度制御部３０５、黒レベル制御部３０６、色相制御部３０７、彩度制御部３０８、画質調整部３０９、画質設定テーブル３１０、および２次元／立体視映像検出部３１１が示されている。
【００４７】
先ず、映像処理部１５５内に存在する各構成に関して説明を行う。
【００４８】
ＷＢ制御部３０１は映像処理部１５５の構成の一つであり、映像のホワイトバランス（White balance）を調整して、色温度を補正する画質調整処理を行う機能を有している。
【００４９】
ガンマ補正制御部３０２は、映像処理部１５５の構成の一つであり、映像の色のデータと、実際に出力される際の信号の相対関係を調節して、より自然に近い表示を得るための補正であるガンマ補正を行う機能を有している。
【００５０】
シャープネス制御部３０３は、映像処理部１５５の構成の一つであり、画像の輪郭を強調させるシャープネス補正の画質調整処理を行う機能を有している。
【００５１】
高解像度化制御部３０４は、映像処理部１５５の構成の一つであり、ある画像の画素を推定して増やすことで、映像の高解像化処理を行う機能を有している。ここでの高解像度化処理には例えば超解像処理等の処理が含まれる。
【００５２】
輝度制御部３０５は、映像処理部１５５の構成の一つであり、表示する映像の明るさである輝度を調整する機能を有している。輝度制御部３０５はバックライト１２１の光量、照射時間等を制御することで輝度を調整する。
【００５３】
黒レベル制御部３０６は、映像処理部１５５の構成の一つであり、映像の内の暗い箇所を再現して表示するための処理である黒レベル制御処理を映像信号に行う機能を有している。
【００５４】
色相制御部３０７は、映像処理部１５５の構成の一つであり、表示する映像の色味の違いを調整する機能を有している。
【００５５】
彩度制御部３０８は、映像処理部１５５の構成の一つであり、表示する映像に対して、映像の鮮やかさの度合い手ある彩度を調整する機能を有している。
【００５６】
映像処理部１５５は上述のようにＷＢ制御部３０１乃至彩度制御部３０８の構成を有しており、これらによって調整された映像を表示部１２０に表示し、また、バックライト１２１の制御を行うことで表示する画像の画質の調整を行う。
【００５７】
２次元／立体視映像検出部３１１は、表示部１２０に表示される映像が２次元映像なのか立体視映像なのかを検出する機能を有している。表示する映像が２次元映像であるか立体視映像であるかは、その映像ストリームのヘッダ等を参照することによって検出（判別）を行うことが可能である。または、表示する映像を例えば、外部の映像再生装置等から入力されたとすると、この外部装置から送られてくる信号に基づいて２次元映像であるか立体視映像であるかを判別してもよい。２次元／立体視映像検出部３１１はこの映像が２次元（平面）映像であるか／立体視映像であるのかの情報（表示する映像の種類の情報）を画質調整部３０９に通知（送信）する。
【００５８】
画質設定テーブル３１０は、画質調整部３０９が画質の調整量を制御する際に参照するテーブルデータである。この画質設定テーブル３１０に関しては、図４を用いて後述にて説明を行う。本実施形態に於いては、ＲＯＭ１５８に画質設定テーブル３１０が格納されているものとして例示したがこれに限定されるものではなく、例えばＨＤＤ１７０等の他の記憶媒体に記憶されていてもよい。
【００５９】
画質調整部３０９は、ユーザのシャッタメガネ２の装着状態情報および表示する映像の種類に応じて、表示する映像の画質を設定する機能を有している。画像切替部３０９は通信部１６２が受信したシャッタメガネ２の装着状態信号を受け取り、この信号からユーザのシャッタメガネ２の装着状態情報を取得する。また、画像切替部３０９は２次元／立体視映像検出部３１１より、表示する映像の種類の情報（映像が表示されるときこの映像が２次元（平面）映像であるか／立体視映像であるのかの情報）を受信する。画質調整部３０９はこれらの情報に基づいて、ＲＯＭ１５７に格納されている画質設定テーブル３１０を参照して、映像処理部３０１の画質調整を行う各構成に対して、画質の調整を行う際の画質調整量（補正量）の指示を行う。この指示に基づいて映像処理部３０１は映像を構成するフレームに対して画質調整処理を行う。
【００６０】
図４は本実施形態における画質設定テーブル３１０の一例を示す概念図である。
【００６１】
画質設定テーブル３１０は画質調整部３０９が映像処理部１５５の内の上述の各構成の画質調整処理を制御するために用いるパラメータが記されたテーブルデータである。画質設定テーブル３１０は映像処理部１５５の画質調整を行う各構成と、ユーザの各視聴態様とが対応付けられており、それぞれの画質調整を行う構成と視聴態様とが対応付けられた箇所にパラメータが記憶されている。
【００６２】
ユーザの視聴態様としては立体視映像視聴中、シャッタメガネ２非装着で２次元映像視聴中、およびシャッタメガネ２を装着して２次元映像視聴中の３つの態様が存在する。画質調整部３０９は、ユーザのシャッタメガネ２の装着状態情報及び表示する映像の種類の情報に基づいてユーザの視聴態様を判別し、この視聴中のユーザの視聴態様に基づいて、画質設定テーブル３１０中のどの態様におけるパラメータを参照するかを決定する。例えば、画質調整部３０９は２次元／立体視映像検出部３１１からの情報によってユーザが立体視映像を視聴していると判別すると、Ｐ（ｗ）１乃至Ｐ（ｓa）１のパラメータに基づいて映像処理部１５５中のＷＢ制御３０１乃至彩度制御３０８に画質の調整量の指示を行って、画質の調整量を制御する。
【００６３】
上述の画質設定テーブル３１０内のパラメータの仕様としては様々な態様が考えられる。例えば、それぞれが独立してパラメータを設定されてとしてもよいし、シャッタメガネ２非装着で２次元映像を表示している場合を基準として設定されているとしてもよい。さらに、シャッタメガネ２非装着で２次元映像を表示しており、通常の視聴と同様である場合（画質の調整の調整を行わない場合、すなわち画質の調整量が０である場合）には、画質設定テーブル３１０はパラメータを有していないとしてもよい。本実施形態では、前述のように画質の調整を行わない場合には画質の調整量が０であるものとして考える。
【００６４】
また、更にユーザがこの画質設定テーブル３１０を設定できるとしてもよい。このときは、このテーブルのパラメータを変更することのできる変更部（変更手段）を制御部１５６内に設ければよい。ユーザからのリモートコントローラ１１７等による指示に基づいて、変更部が画質設定テーブル３１０内のパラメータを変更する。これによりユーザは視聴態様に応じて自分の好みの画質で映像を視聴することができる。
【００６５】
ここでユーザの視聴態様に対する、映像処理部１５５内の各構成の調整する画質の好適と考えられる調整量の関係の一例について述べる。
【００６６】
画質調整部３０９は、ＷＢ制御部３０１の調整するホワイトバランスの調整量を制御することで、シャッタメガネ２を介して見ると黄色味がかって見える状態の映像から画質を補正し、元映像に近い色の映像をユーザに提供することができる。特に２次元映像をシャッタメガネ２を装着した状態で視聴する場合にはこのホワイトバランスを調整する必要性が大きい。
【００６７】
また、画質調整部３０９は輝度制御部３０５の輝度の調整量を制御して、シャッタメガネ２を介して表示部１２０を見たときはユーザに暗く見えてしまう映像の輝度を上げ、元映像に近い輝度の映像をユーザに提供することができる。
【００６８】
更に、画質調整部３０９は黒レベル制御部３０６によって黒レベルを制御して、シャッタメガネ２を介して表示部１２０を見たときには暗くなってしまう画像中の暗い部分を見えやすくした映像を提供することができる。
【００６９】
フレームシーケンシャル方式で立体視映像を視聴している際には、右眼用の画像と左眼用の画像とが連続して交互に表示される。特に液晶パネルによる表示等のようにパネルの反応速度が画像の表示切替速度（シャッタメガネ２のシャッタ開閉速度）に対して時間的な余裕を持っていない場合には、ある画像が表示される際にこの画像の直前の画像が全てパネル上から消えていない場合がある。これによって、ある画像を表示しているときに直前に表示された逆の眼用の画像の残像が残り、画像が二重に見えてしまうクロストークという現象が起きる場合がある。特に、表示される画像の輪郭が強調されている場合には、この輪郭が残像としてユーザの眼に残り、クロストークの影響は大きくなる。このため、画質調整部３０９はシャープネス制御部３０３及び高解像度化制御部３０４による処理によって、画像の輪郭が強く出すぎないように補正量、処理量を調整（シャープネス調整の調整量を低減）することでクロストークを低減させる。
【００７０】
例えば上述の処理等によって画質調整部３０９はユーザの視聴態様に応じて、画質の補正量を調整する。画質設定テーブル３１０にはこの調整が好適となるようにパラメータが設定されている。
【００７１】
次にＤＴＶ１が画質調整を行う際の処理フローについて説明を行う。
【００７２】
図５は本実施形態におけるＤＴＶ１の映像表示のための処理の一例を示すフロー図である。
【００７３】
先ず、ＤＴＶ１はリモートコントローラ１１７等からの映像表示指示を受信したか否かの判別を行う（ステップＳ５１）。ステップＳ５１において、映像表示指示を受信しないときは（ステップＳ５１、Ｎｏ）、処理フローはステップＳ５１に戻る。
【００７４】
ステップＳ５１において、リモートコントローラ１１７等より映像表示指示を受信するとき（ステップＳ５１、Ｙｅｓ）、２次元／立体視映像検出部３１１は表示する映像が２次元映像であるか、立体視映像であるかの情報を検出し、画質調整部３０９に検知情報を送信する。画質調整部３０９は検知情報に基づいて表示する映像が２次元映像であるか、立体視映像であるかの判別を行う（ステップＳ５２）。
【００７５】
ステップＳ５２において表示する映像が立体視映像であるとき、画質調整部３０９は画質設定テーブル３１０の立体視映像と対応するパラメータを参照して、映像処理部１１５の各構成に対して画質調整量を指示する（画質を制御する）。この指示に基づいて、映像処理部１１５の各構成（ＷＢ制御部３０１乃至彩度制御部３０８）は画質を調整し、表示部１２０によって調整された映像を表示する（ステップＳ５３）。
【００７６】
ステップＳ５２において表示する映像が２次元映像であるとき、画質調整部３０９は通信部１６２を介してシャッタメガネ２に対して、装着状態信号送信要求を送信する（ステップＳ５４）。
【００７７】
次に通信部２２がシャッタメガネ２から装着状態信号を受信し（ステップＳ５５）、この装着状態信号を画質調整部３０９が取得すると、これに基づいて画質調整部３０９はユーザがシャッタメガネ２を装着しているか否かの判別を行う（ステップＳ５６）。
【００７８】
ステップＳ５６において、ユーザがシャッタメガネ２を装着していると判別するとき（ステップＳ５６、Ｙｅｓ）、画質調整部３０９は画質設定テーブル３１０の２次元映像表示かつシャッタメガネ２装着時の視聴態様と対応するパラメータを参照して、映像処理部１１５の各構成に対して画質調整量を指示する（画質を制御する）。この指示に基づいて、映像処理部１１５の各構成は画質を調整し、表示部１２０によって調整された映像を表示する（ステップＳ５７）。
【００７９】
また、ユーザがシャッタメガネ２を装着していないと判別するとき（ステップＳ５６、Ｎｏ）、画質調整部３０９は画質設定テーブル３１０の２次元映像表示かつシャッタメガネ２非装着時の視聴態様と対応するパラメータを参照して、映像処理部１１５の各構成に対して画質調整量を指示する（画質を制御する）。この指示に基づいて、映像処理部１１５の各構成は画質を調整し、表示部１２０によって調整された映像を表示する（ステップＳ５８）。
【００８０】
ステップＳ５６、ステップＳ５７、又はステップＳ５８の終了後、ＤＴＶ１は映像表示の終了指示を受信したか否かの判別を行う（ステップＳ５９）。
【００８１】
ステップＳ５９において、映像表示の終了指示を受信しない間（ステップＳ５９、Ｎｏ）、処理フローはステップＳ５２に戻る。
【００８２】
ステップＳ５９において、映像表示の終了指示を受信したとき，一連の処理フローは終了となる。
【００８３】
上述の処理フローにおいては、映像表示の終了指示を受信するまでの間（ステップＳ５９、Ｎｏ）、処理フローはステップＳ５２に戻り、ユーザの視聴態様を判別する。このためユーザが映像を視聴中に視聴態様を変更した場合であっても、ＤＴＶ１はこれに合わせて変更したユーザの視聴態様に適した画質で映像を表示することが可能となる。このステップＳ５２における判別は所定時間毎に間欠的に行ったとしてもよいし、所定のタイミングに行うとしてもよい。例えば、映像にシーン切替等があったときに２次元映像を表示するのか、立体視映像を表示するのかを判別するとしてもよい。このときは２次元／立体視映像検出部３１１がシーン切替を検出する機能（シーン切替検出手段）を有している。２次元／立体視映像検出部３１１は映像のシーン切替を判別すると切替後の映像が２次元映像であるか立体視映像であるかを検出し、検出結果を画質調整部３０９に送信する。画質調整部３０９はこれによって映像が２次元映像であるか立体視映像であるかを判別するため、例えばシーン切替によって２次元映像と立体視映像とが切り替わった場合であっても、ＤＴＶ１は対応することができ、シーン切替前後それぞれの映像にあった画質をユーザに提供することが可能である。この場合には例えば、放送番組としては立体視映像を表示しており、ＣＭ（Commercial Message）になると２次元映像を表示するというような放送形態等にも対応することが可能とであり、ユーザはシャッタメガネ２をかけたまま視聴態様にあった画質の映像を視聴することができる。
【００８４】
また、本実施形態においてはＤＴＶ１がシャッタメガネ２に装着状態信号送信要求を送信したときに、シャッタメガネ２が装着状態信号を送信するとしたが、これに限定されるものではなく、ＤＴＶ１から装着状態信号送信要求を受信しない間であっても、シャッタメガネ２が装着状態信号を送信するとしてもよい。この場合には、シャッタメガネ２の装着検知部２３がユーザのシャッタメガネ２の装着状態の変化を検知すると制御部２１が通信部２２を介して、自発的に装着状態信号を送信し、これを受けてＤＴＶ１が画質の調整を行う。このように構成することによって、ユーザのシャッタメガネ２の装着状態が変化したとき、ＤＴＶ１は適宜これに適した画質調整が可能となる。
【００８５】
本実施形態においては、ＤＴＶ１は画質設定テーブル３１０を有しており、画質調整部３０９はこれに基づいて画質の調整量を制御するため、少ない処理量で画質の調整量制御処理を行うことができる。
【００８６】
本実施形態におけるＤＴＶ１は視聴態様毎に適した画質調整を行い、映像を元映像に近づけるため、ユーザが視聴態様を変更した場合であっても、ユーザに視聴態様変更前とほぼ画質に変化のない映像を提供することができる。
【００８７】
また、本実施形態におけるＤＴＶ１においては、ユーザは自ら画質調整を行うことなく、手間をかけずに視聴態様に適した映像を視聴することができる。
【００８８】
更に、本実施形態におけるＤＴＶ１は映像視聴態様応じて、これに適した画質で映像を出力することができる。
【００８９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００９０】
１…ＤＴＶ、２…シャッタメガネ、３…映像出力システム、１１０…スピーカ、１２０…表示部、１２１…バックライト、１００…信号処理部、１１６…操作部、１１７…リモートコントローラ、１１８…受信部、１１９…メモリカード、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１６０…カードＩ／Ｆ、１６１…カードホルダ、１６２…通信部、１６６…ＵＳＢ  Ｉ／Ｆ、１６８…アナログチューナ、１６９…アナログ復調器、２１…制御部、２２…通信部、２３…装着検知部、２４…シャッタ駆動部、２５…シャッタ部、３０１…ＷＢ制御部、３０２…ガンマ補正制御部、３０３…シャープネス制御部、３０４…高解像度化制御部、３０５…輝度制御部、３０６…黒レベル制御部、３０７…色相制御部、３０８…彩度制御部、３０９…画質調整部、３１０…画質設定テーブル、３１１…２次元／立体視映像検出部
【図１】
2011199682.tif 000003
【図２】
2011199682.tif 000004
【図３】
2011199682.tif 000005
【図４】
2011199682.tif 000006
【図５】
2011199682.tif 000007
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
２次元映像と立体視映像とを選択的に出力する映像出力手段と、
前記出力される映像が前記２次元映像であるか前記立体視映像であるかを検出する手段と、
光の透過状態と遮光状態とを切り替えるシャッタメガネをユーザが装着しているか否かを検出する手段と、
前記検出の結果、前記立体視映像が出力される場合と、前記２次元映像が出力されかつ前記シャッタメガネが装着されていない場合と、前記２次元映像が出力されかつ前記シャッタメガネが装着されている場合とで、前記出力される映像に対しての画質の調整を異ならせる画質調整手段と、
を具備することを特徴とする電子機器。
【請求項２】
前記シャッタメガネに対して、当該シャッタメガネをユーザが装着しているか否かを示す装着状態信号を送信するように要求する装着状態信号送信要求を送信する送信部を
更に具備することを特徴とする請求項１記載の電子機器。
【請求項３】
前記２次元映像の表示中に、前記装着状態信号を受信するとき、前記画質調整手段はこの装着状態信号に基づいて、出力する前記２次元映像の画質の調整量を定めること
を特徴とする請求項１記載の電子機器。
【請求項４】
前記画質の調整量を定めるための値が格納された前記画質設定テーブルを記憶する記憶手段を更に具備し、
前記画質調整手段は前記画質設定テーブルに格納された前記値に基づいて出力する前記２次元映像の画質の調整量を定めること
を特徴とする請求項１記載の電子機器。
【請求項５】
前記画質設定テーブルの前記値を変更する変更手段を
更に具備することを特徴とする請求項４記載の電子機器。
【請求項６】
前記画質調整手段は、前記シャッタメガネが装着されていない場合と、前記シャッタメガネが装着されている場合とで、出力する前記２次元映像のホワイトバランスの調整量を異ならせること
を特徴とする請求項１記載の電子機器。
【請求項７】
前記画質調整手段は、前記立体視映像を出力するときのシャープネス調整量と、前記２次元映像を出力するときのシャープネス制御量とを異ならせること
を特徴とする請求項１記載の電子機器。
【請求項８】
前記映像出力手段によって出力された映像を表示する表示手段と、
前記シャッタメガネに対して、シャッタの開閉信号を送信する開閉信号送信手段と、
を更に具備することを特徴とする請求項１記載の電子機器。
【請求項９】
シャッタの開閉信号を受信する開閉信号受信手段と、受信する開閉信号に基づいて前記シャッタを駆動させる駆動手段と、自身がユーザに装着されているか否かを検知する検知手段と、前記検知結果に基づいて、自身がユーザに装着されているか否を示す装着状態信号を送信する送信手段と、を具備する光の透過状態と遮光状態とを切り替え可能なシャッタメガネと、
２次元映像と立体視映像とを選択的に出力する映像出力手段と、
前記出力される映像が前記２次元映像であるか前記立体視映像であるかを検出する手段と、
前記立体視映像を出力するとき、この出力する立体視映像のフレーム更新間隔と同期させて前記開閉信号を送信する送信手段と、
前記シャッタメガネより送信される、前記装着状態信号を受信する受信手段と、
前記出力される映像の検出結果及び前記受信された装着状態信号に基づき、前記立体視映像が出力される場合と、前記２次元映像が出力されかつ前記シャッタメガネが装着されていない場合と、前記２次元映像が出力されかつ前記シャッタメガネが装着されている場合とで、前記出力される映像に対しての画質の調整を異ならせる画質調整手段と、
を具備することを特徴とする映像出力システム。
【請求項１０】
２次元映像と立体視映像とを選択的に出力するステップと、
前記出力される映像が前記２次元映像であるか前記立体視映像であるかを検出するステップと、
光の透過状態と遮光状態とを切り替えるシャッタメガネをユーザが装着しているか否かを検出するステップと、
前記検出の結果、前記立体視映像が出力される場合と、前記２次元映像が出力されかつ前記シャッタメガネが装着されていない場合と、前記２次元映像が出力されかつ前記シャッタメガネが装着されている場合とで、前記出力される映像に対しての画質の調整を異ならせるステップと
を有することを特徴とする電子機器。
【手続補正２】
【補正対象書類名】明細書
【補正対象項目名】０００９
【補正方法】変更
【補正の内容】
【０００９】
本発明にかかる電子機器は、２次元映像と立体視映像とを選択的に出力する映像出力手段と、前記出力される映像が前記２次元映像であるか前記立体視映像であるかを検出する手段と、光の透過状態と遮光状態とを切り替えるシャッタメガネをユーザが装着しているか否かを検出する手段と、前記検出の結果、前記立体視映像が出力される場合と、前記２次元映像が出力されかつ前記シャッタメガネが装着されていない場合と、前記２次元映像が出力されかつ前記シャッタメガネが装着されている場合とで、前記出力される映像に対しての画質の調整を異ならせる画質調整手段と、を具備することを特徴としている。